(57)【要約】【課題】  光加入者終端装置がセットトップボックスの電源オン／オフを検出して、映像信号処理部の電源供給制御をすることによって、光加入者線終端装置の消費電力を削減する。【解決手段】  映像信号を受信し、信号処理を行い、セットトップボックス６側に出力する映像信号処理部１１と、通信信号を受信し、信号処理を行い、外部に出力するとともに、セットトップボックス６のＩＰアドレスを取得し、セットトップボックス６の動作状態を判定するための信号をＬＡＮを介して送信し、所定の期間内にセットトップボックス６からの応答が有るか否かに基づき、セットトップボックス６の動作状態を通知する信号を送信する通信信号処理部１２と、セットトップボックス６の動作状態を通知する信号を受信して、映像信号処理部１１の電源供給制御を行うセットトップボックス状態判定部１３とを備える。【選択図】  図２
2011119840.tif 000002
【特許請求の範囲】
【請求項１】
局側装置と光加入者線終端装置が光ファイバで相互に接続された通信ネットワークシステムにおいて、通信信号と映像信号とを受信可能であり、映像信号をセットトップボックス側に伝送する光加入者線終端装置であって、
前記映像信号を受信し、該映像信号の信号処理を行い、前記セットトップボックス側に出力する映像信号処理部と、
前記通信信号を受信し、該通信信号の信号処理を行い、外部に出力するとともに、前記セットトップボックスのＩＰアドレス情報を取得し、該セットトップボックスの動作状態を判定するための信号をＬＡＮを介して送信し、所定の期間内に該セットトップボックスからの応答が有るか否かに基づき、セットトップボックスの動作状態を通知する信号を送信する通信信号処理部と、
前記セットトップボックスの動作状態を通知する信号を受信して、前記映像信号処理部の電源供給制御を行うセットトップボックス状態判定部と、
を備える光加入者線終端装置。
【請求項２】
局側装置と光加入者線終端装置が光ファイバで相互に接続された通信ネットワークシステムにおいて、通信信号と映像信号とを受信可能であり、映像信号をセットトップボックス側に伝送する光加入者線終端装置であって、
前記映像信号を受信し、該映像信号の信号処理を行い、前記セットトップボックス側に出力する映像信号処理部と、
前記セットトップボックスのＩＰアドレス情報を取得し、該セットトップボックスの動作状態を判定するための信号をＬＡＮを介して送信し、所定の期間内に該セットトップボックスからの応答が有るか否か基づき、前記映像信号処理部の電源供給制御を行うセットトップボックス状態判定部と、
を備える光加入者線終端装置。
【請求項３】
請求項１または２に記載の光加入者線終端装置であって、該セットトップボックスがインターネットを介して映像配信サーバーと送受信する通信信号をスヌーピングして送信元のＩＰアドレスまたは宛先のＩＰアドレス情報を取得するセットトップボックスＩＰアドレス抽出部をさらに備える光加入者線終端装置。
【請求項４】
請求項１乃至３に記載の光加入者線終端装置と局側装置とが光伝送路を介して受動光ネットワークを形成するように接続された通信システム。
【発明の詳細な説明】
【技術分野】
【０００１】
本発明は、ＧＥ−ＰＯＮ（Ｇｉｇａｂｉｔ  Ｅｔｈｅｒｎｅｔ（登録商標）−Ｐａｓｓｉｖｅ  Ｏｐｔｉｃａｌ  Ｎｅｔｗｏｒｋ）システムを構成する光加入者線終端装置に関し、特に、通信信号と映像信号を処理する機能を併せ持つ光加入者線終端装置に関する。
【背景技術】
【０００２】
ＧＥ−ＰＯＮシステムではインターネット接続、ＩＰ（Ｉｎｔｅｒｎｅｔ  Ｐｒｏｔｏｃｏｌ）電話サービスに加え、多チャンネルの映像を配信する放送通信融合サービスの需要が急速に拡大している。これに伴って、インターネット通信やＩＰ電話といった従来の通信信号に加え、映像信号の両方に対応可能な機能を併せ持つ光加入者線終端装置が普及してきている。
【０００３】
このような光加入者線終端装置は各加入者宅に設置されるものであり、近年、家電製品の低消費電力化のニーズが高まっていることから、他の家電製品と同じく低消費電力であることが望ましい。しかし、例えば、加入者がインターネット接続をしているが、光加入者線終端装置を介してテレビジョン受像機（以下、ＴＶ）で映像信号を視聴していない場合でも、光加入者線終端装置の映像信号を受信する機能は常に動作状態であって、無駄に電力を消費している状態となっている。
【０００４】
従来の光加入者線終端装置において、加入者が映像信号を視聴していないときに光加入者線終端装置の消費電力を削減する方法は、セットトップボックス（以下、ＳＴＢ）がオン、オフされた時に、ＳＴＢが電灯線を介してＳＴＢの使用状態を示す状態信号を送信し、その信号を光加入者線端装置が受信することで、光加入者線終端装置内の映像信号処理部の電源がオン／オフされる光加入者線終端装置が開示されている。（例えば、特許文献１参照）。
【先行技術文献】
【特許文献】
【０００５】
【特許文献１】特開２００２−８４５３５号公報
【発明の概要】
【発明が解決しようとする課題】
【０００６】
しかしながら、上記特許文献１の方法では、光加入者線終端装置とＳＴＢとの状態信号の通信は電灯線を介するものであるため両機器とも電灯線通信に対応している必要があり、さらに、ＳＴＢがオン／オフされた時に状態信号を送信する機能を備える必要があるため、専用のＳＴＢを設置しなければならないという問題点があった。
【０００７】
また、リモコンを使用する例においては、ユーザはＴＶの電源をリモコンによりオン／オフにすることに加えて、光加入者線終端装置の映像信号処理部の電源をリモコン操作によってオン／オフする必要があり、ユーザの操作が煩雑になる問題点があった。また、ＳＴＢから光加入者線終端装置が離れた位置に設置されている場合にはリモコンによる操作は不可能となる。
【０００８】
また、ＴＶの電源をオン／オフするリモコン信号と光加入者線終端装置の映像信号処理部の電源のオン／オフするリモコン信号とが兼用となっている場合には、光加入者線終端装置の映像信号処理部が受信した映像をＳＴＢに接続されたＶＴＲなどにより録画している際に、ユーザがＴＶの電源をオフにすると光加入者線終端装置の映像信号処理部の電源も連動してオフになり、ＶＴＲなどによる録画が中断されるというユーザの意図しない動作が起こる問題点があった。
【０００９】
本発明はこのような問題を解決するためになされたもので、専用のＳＴＢまたはリモコンを設けることなく、光加入者線終端装置の映像信号処理部の消費電力を削減することを目的とする。
【課題を解決するための手段】
【００１０】
上記の目的を達成するために、本発明にかかる光加入者線終端装置は、映像信号を受信し、該映像信号の信号処理を行い、セットトップボックス側に出力する映像信号処理部と、通信信号を受信し、該通信信号の信号処理を行い、外部に出力するとともに、前記セットトップボックスのＩＰアドレス情報を取得し、該セットトップボックスの動作状態を判定するための信号をＬＡＮを介して送信し、所定の期間内に該セットトップボックスからの応答が有るか否かに基づき、セットトップボックスの動作状態を通知する信号を送信する通信信号処理部と、前記セットトップボックスの動作状態を通知する信号を受信して、前記映像信号処理部の電源供給制御を行うセットトップボックス状態判定部とを備えるものである。
【発明の効果】
【００１１】
この発明によれば、光加入者終端装置がＳＴＢの電源オン／オフを自動的に検出して、映像信号処理部の電源供給制御することによって、光加入者線終端装置の消費電力を削減することができる。
【図面の簡単な説明】
【００１２】
【図１】本発明の実施の形態１に示すＧＥ−ＰＯＮシステムの構成を表すブロック図である。
【図２】本発明の実施の形態１に示す光加入者線終端装置およびＳＴＢの構成を表すブロック図である。
【図３】本発明の実施の形態１に示すＳＴＢの状態を判定するフローチャート図である。
【図４】本発明の実施の形態２に示すＳＴＢの状態を判定するフローチャート図である。
【図５】本発明の実施の形態３に示す光加入者線終端装置およびＳＴＢの構成を表すブロック図である。
【図６】本発明の実施の形態３に示すスヌーピングの対象となるＥｔｈｅｒｎｅｔ（登録商標）フレームの構成図である。
【図７】本発明の実施の形態４に示す光加入者線終端装置およびＳＴＢの構成を表すブロック図である。
【図８】本発明の実施の形態４に示すＳＴＢの状態を判定するフローチャート図である。
【発明を実施するための形態】
【００１３】
実施の形態１．
以下に、本発明に係る光加入者線終端装置の実施の形態を図面に基づいて詳細に説明する。なお、以下の実施の形態は、本発明を具体化する際の一形態であって、本発明をその範囲内に限定するためのものではない。
【００１４】
図１は、本発明の実施の形態１に係るＧＥ−ＰＯＮシステムの構成図を示す図である。図示のシステムは基地局側の映像配信装置１とＯＬＴ２は光スプリッタ４で複数に分岐する光伝送路を介して、本発明に係る光加入者線終端装置５と接続されている。但し、図１におけるＯＬＴ２は通信信号に対応したものである。さらに光加入者線終端装置５とＴＶ７はＳＴＢ６を介して接続されている。映像配信装置１は通信業者の収容局などに置かれ、ＦＤＭ（Ｆｒｅｑｕｅｎｃｙ  Ｄｉｖｉｓｉｏｎ  Ｍｕｌｔｉｐｌｅｘｉｎｇ）方式によって多重化された映像信号を、一括してＦＭ信号に変換し、１.５μｍ帯の光搬送波の強度を変調する、いわゆるＳＣＭ（Ｓｕｂ−Ｃａｒｒｉｅｒ  Ｍｕｔｉｐｌｅｘｉｎｇ）伝送方式によって送信する。一方で、Ｅｔｈｅｒｎｅｔ（登録商標）フレームなどの通信信号はＯＬＴ２と光加入者線終端装置５との間で上り方向（光加入者線終端装置５側からＯＬＴ２側への方向）１．３μｍ帯、下り方向（ＯＬＴ２側から光加入者線終端装置５側への方向）１.４９μｍ帯の波長で伝送される。
【００１５】
１．５μｍ帯の映像信号と下り方向の１．４９μｍ帯の通信データ信号は波長多重分離部３にて合波され光加入者線終端装置５へ送信される。また、光加入者線終端装置５から送られる１．３μｍ帯の上り信号は波長多重分離部３にて分波され、ＯＬＴ２、またはネットワーク８を介して映像配信をするサーバ９に伝送される。
【００１６】
図２は、本発明の実施の形態１に係る光加入者線終端装置５およびＳＴＢ６の構成を示す図である。光加入者線終端装置５は映像配信装置１とＯＬＴ２より受信した光信号を映像信号と通信信号とに分波する光分波器１０と、分波された信号の内、映像信号が伝送される映像信号処理部１１、通信信号が伝送される通信信号処理部１２と、ＳＴＢ６の動作状態を判定し映像信号処理部１１の電源供給制御をするＳＴＢ状態判定部１３と、光加入者線終端装置５の電源部１４によって構成される。電源部１４は商用電源（ＡＣ１００Ｖ）を直流電源に変換し、光加入者線終端装置５の各部に対して電源供給している。尚、光分波器１０は光加入者線終端装置５の内部、外部のいずれに設置されていても良い。またＳＴＢ状態判定部１３は通信信号処理部１２の中に組み込まれているものであっても良い。
【００１７】
次に、光加入者線終端装置５とＳＴＢ６との接続について説明する。映像信号処理部１１の出力側が、ＳＴＢ６の映像信号入力端子１５と接続され、通信信号処理部１２がＳＴＢ６内のＩＰ機能部１７と接続される。ＩＰ機能部１７はサーバ９やＯＬＴ２との間でＥｔｈｅｒｎｅｔ（登録商標）フレームなどの通信信号を送受信する。また、ＳＴＢ６の映像信号出力端子１６とＴＶ７が接続される。尚、通信信号処理部１２とＳＴＢ６のＩＰ機能部１７はＬＡＮを介して接続されている必要があるが、直結されている必要は無く、間にＨＧＷ（Ｈｏｍｅ  Ｇａｔｅｗａｙ）などの機器が仲介しても良い。
【００１８】
次に、光加入者線終端装置にＯＬＴ側から到達した信号の処理動作について説明する。光分波器１０に伝送された光信号は、異なる波長の光信号として映像信号と通信信号に分波される。次に、映像信号は映像信号処理部１１に受信され、光電変換およびＦＭ復調処理などの信号処理が行われた後に、ＳＴＢ６の映像信号入力端子１５に入力され、ＳＴＢ６内でＴＶ視聴可能な信号に変換され、映像信号出力端子１６を経てＴＶ７に伝送される。一方、通信信号は通信信号処理部１２に受信され、光電変換、復調および復号処理等の信号処理が行われた後に、ここではＵＮＩ（Ｕｓｅｒ  Ｎｅｔｗｏｒｋ  Ｉｎｔｅｒｆａｃｅ：ユーザネットワークインターフェイス）側に出力される。ＵＮＩ側の先には図示していないが、例えば、ユーザがインターネット接続するためのＰＣ等が接続されている。
【００１９】
次に、図３を用いてＳＴＢ６の動作状態判定を行うフローについて説明する。ステップ１１において、通信信号処理部１２はＳＴＢ６の動作状態を判定するための信号として、ＳＴＢ６のＩＰ機能１７に対してｐｉｎｇ要求、または、ｔｒａｃｅｒｏｕｔｅ要求を定期的に送信する。若しくは、通信信号処理部１２とＩＰ機能部１７との間にＬ３以上のルータが存在しなければ、定期的にａｒｐ要求を送信しても良い。尚、通信信号処理部１２はｐｉｎｇ要求、ｔｒａｃｅｒｏｕｔｅ要求、ａｒｐ要求のすべてを送信する必要はなく、いずれか一種類でも送信することができれば良い。尚、光加入者線終端装置５からＳＴＢ６に対して通信信号を発し、それに対してＳＴＢ６からの応答があり、動作中または停止していることが判別できる方法であれば上記３つの方法以外であっても良い。
【００２０】
ここで、ＩＰ機能部１７に対してｐｉｎｇ、ｔｒａｃｅｒｏｕｔｅ、ａｒｐ要求をするにはＳＴＢ６のＩＰアドレス情報を通信信号処理部１２が取得しておくことが前提である。ＳＴＢ６がＩＰｖ６（Ｉｎｔｅｒｎｅｔ  Ｐｒｏｔｏｃｏｌ  Ｖｅｒｓｉｏｎ  ６）に対応している場合には近隣者発見プロトコル（以下、ＮＤＰ：Ｎｅｉｇｈｂｏｒ  Ｄｉｓｃｏｂｅｒｙ  Ｐｒｏｔｏｃｏｌ）を使用することができるので、予めＳＴＢ６にはａｎｙｃａｓｔアドレスを割り当てておき、通信信号処理部１２からＮＤＰを使用して、ＳＴＢ６を発見させ、ＩＰアドレス情報を取得することができる。
【００２１】
ステップ１２にて、通信信号処理部１２はｐｉｎｇ、ｔｒａｃｅｒｏｕｔｅ、ａｒｐ要求に対する反応がＩＰ機能部１７から返ってくるかどうかを判断する。
【００２２】
ｐｉｎｇ、ｔｒａｃｅｒｏｕｔｅ、ａｒｐ要求に対する応答がＩＰ機能部１７からあった場合には、ステップ１３に進み、ＳＴＢ状態判定部１３にＳＴＢ６は動作中であるとのＳＴＢ動作状態通知信号を送信する。次に、ＳＴＢ状態判定部１３は、ＳＴＢ６は動作中であるとのＳＴＢ動作状態通知信号を受信したら、電源部１４に対して映像信号処理部１１へ電源を供給するように指示する。
【００２３】
一方、ステップ１２にて通信信号処理部１２がｐｉｎｇ、ｔｒａｃｅｒｏｕｔｅ、ａｒｐ要求を送信しても、ＩＰ機能部１７から応答がない場合には、ステップ１５に進む。ＳＴＢ状態判定部１３にはタイマが設定されており、設定されたタイマ周期時間内に通信信号処理部１２からＳＴＢ６が動作中であるとのＳＴＢ動作状態通知信号を受信できずにタイムアウトした場合にはステップ１６に進み、ＳＴＢ状態判定部１３は電源部１４に対し映像信号処理部１１への電源供給を停止するように指示する。尚、電源供給の停止以外に、低消費電力状態、すなわち、待機状態とする電源制御も可能である。また、このタイマ周期時間は設定可変である。例えば、数秒に設定されているとすれば、ユーザがＳＴＢの電源をオフにしてから映像信号処理部の電源供給が停止されるまでの時間は数秒の間に行われ、消費電力の浪費を極力少なくすることができる。また、一方、ユーザがＳＴＢの電源をオンしてから映像信号処理部の電源供給が開始されるのは、一般的にはＬＡＮ経由でｐｉｎｇ要求等の応答が返ってくるのは数ミリ秒単位であるから、ユーザが電源を入れるとほぼ同時に映像信号処理部１１に電源が供給され高速な立ち上がりを実現することができる。
【００２４】
以上の動作から、ユーザが映像信号を視聴するために、ＳＴＢ６の電源を入れると、通信信号処理部１２からＳＴＢ状態判定部１３に対してＳＴＢ６は動作中であるとの通知がされ、映像信号処理部１１の電源供給が開始される。そして、ユーザが視聴を続けている間、通信信号処理部１２はＳＴＢ６に対してｐｉｎｇ要求等のＳＴＢ６の動作状態を判定する信号を定期的に送り続ける。この場合はＳＴＢからの応答が得られるので、動作中であるとの通知をＳＴＢ状態判定部１３に送信し続け、ＳＴＢ状態判定部１３は電源部１４に映像信号処理部の電源供給を続けるよう指示を出す。ユーザが映像信号の視聴を終了し、ＳＴＢ６の電源を切ると、通信信号処理部１２はＳＴＢ６からの応答が得られなくなり、ＳＴＢ６は動作中であるとの通知をＳＴＢ状態判定部１３に送ることができなくなるので、ＳＴＢ状態判定部１３にてタイムアウトが発生し、ＳＴＢ状態判定部１３は電源部１４に映像信号処理部１１の電源供給を停止するように指示を出す。これによって、ユーザの操作の作業を介さず、ＳＴＢの使用状態に合わせて自動的に映像信号処理部１１の電源供給を制御し、光加入者線終端装置５の消費電力を削減することが可能となる。
【００２５】
以上の構成によれば、映像信号処理部１１の電源制御を専用のＳＴＢやリモコンを用いることなく、またユーザの操作がなくとも自動で制御することができる。また映像信号処理部１１とＴＶ７の電源が連動していないために、映像信号処理部１１が受信した映像をＳＴＢに接続されたＶＴＲなどによって録画している場合においても、ＴＶ７の電源をオフにしても録画が中断されるなどの前述の問題点も解消する。尚、１台の光加入者線終端装置５にＳＴＢ６が複数台接続されている場合でも、本発明を達成することが可能である。例えば、通信信号処理部１２は複数のＳＴＢのＩＰアドレス情報を取得し、夫々に対して動作状態を判定する信号を送る。そして複数のＳＴＢのうち、１台のＳＴＢからＳＴＢは動作中であるとの動作状態通知信号があれば、映像信号処理部１１への電源供給を続ける。全てのＳＴＢから動作中であるとの通知が得られなくなった場合に、映像信号処理部１１の電源供給を停止、または低消費電力状態とする制御をする。
【００２６】
尚、従来技術の構成で挙げられた電灯線通信は両機器への電源供給系統が共通していなければ通信することは出来ないため、機器の設置場所が離れている等によって電源供給系統が異なる場合には通信できず、設置場所に制限が生じるという問題がある。本実施の形態では光加入者線終端装置５からＳＴＢ６にＰｏＥ（ｐｏｗｅｒ  ｏｖｅｒ  Ｅｔｈｅｒｎｅｔ（登録商標））機能によって電力供給をすることも可能である。この場合には、例えば、通信信号処理部１２が電源供給機能を備え、ＩＰ機能部１７が受電機能を備えて電力供給を行えば、電灯線通信の場合に問題となる電源供給系統に依存する光加入者線終端装置５とＳＴＢ６の設置場所の制限についての課題を解消することができる。
【００２７】
実施の形態２．
実施の形態１のＳＴＢ状態判定では、ＳＴＢ状態判定部１３にタイマが設定されていたが、タイマを通信信号処理部１２に設定しても良い。
【００２８】
図４を用いてＳＴＢ６の動作状態判定を行うフローについて説明する。ステップ２１において、通信信号処理部１２はＳＴＢ６のＩＰ機能１７に対してｐｉｎｇ要求、または、ｔｒａｃｅｒｏｕｔｅ要求を定期的に送信する。実施の形態１と同様に、通信信号処理部１２とＩＰ機能部１７との間にＬ３以上のルータが存在しなければ、定期的にａｒｐ要求を送信しても良い。また、前提として、ＳＴＢ６のＩＰアドレス情報を通信信号処理部１２が取得していることは同じである。取得していなければ前述のＮＤＰによって取得しても良い。
【００２９】
ステップ２２にて、通信信号処理部１２はｐｉｎｇ、ｔｒａｃｅｒｏｕｔｅ、ａｒｐ要求に対する反応がＩＰ機能部１７から返ってくるかどうかを判断する。
【００３０】
ｐｉｎｇ、ｔｒａｃｅｒｏｕｔｅ、ａｒｐ要求に対する応答がＩＰ機能部１７からあった場合には、ステップ２３に進み、ＳＴＢ状態判定部１３にＳＴＢ６が動作中であるとのＳＴＢ動作状態通知信号を送信する。次に、ＳＴＢ状態判定部１３は、ＳＴＢは動作中であるとのＳＴＢ動作状態通知信号を受信したら、電源部１４に対して映像信号処理部１１へ電源を供給するように指示する。
【００３１】
一方、ステップ２２にて通信信号処理部１２がｐｉｎｇ、ｔｒａｃｅｒｏｕｔｅ、ａｒｐ要求を送信しても、ＩＰ機能部１７から応答がない場合には、ステップ２５に進む。通信信号処理部１２にタイマが設定されており、通信信号処理部１２はＳＴＢ６に対してステップ２１と２２の動作を繰り返す。ＳＴＢ６から応答を得ることができず、タイムアウトした場合にはステップ２６に進み、通信信号処理部１２からＳＴＢ状態判定部１３に対して、ＳＴＢは停止中であるとのＳＴＢ動作状態通知信号を送信する。ステップ２７に進み、ＳＴＢ状態判定部１３は電源部１４に対し映像信号処理部１１への電源供給を停止するように指示する。なお、実施の形態１と同様に電源供給の停止以外に、低消費電力状態、すなわち、待機状態とする電源制御も可能である。
【００３２】
以上の動作から、実施の形態１と同様に、ユーザが映像信号を視聴するために、ＳＴＢを使用しているときにだけ、映像信号処理部１１が動作するため、光加入者線終端装置の消費電力を削減できる。
【００３３】
実施の形態３．
ＳＴＢ６がＩＰｖ６に対応しておらずＮＤＰを使用できない場合であっても、以下の方法によって自動で通信信号処理部１２にＳＴＢ６のＩＰアドレス情報を取得することが可能となる。
【００３４】
図５を用いてＳＴＢ６のＩＰアドレス情報を通信信号処理部１２に設定する方法について説明する。図５は、本発明の実施の形態３に係る光加入者線終端装置５の構成を示す図である。光加入者線終端装置５は、本発明の実施の形態１の通信信号処理部１２の後段に、ＳＴＢＩＰ抽出部１８を追加したものである。ＳＴＢ６のＩＰ機能部１７は通信信号処理部１２、光分波器１０を経て、図１におけるネットワーク８上のサーバ９と通信している。ＳＴＢＩＰ抽出部１８は、この経路で通過するＥｔｈｅｒｎｅｔ（登録商標）フレームの内容を盗み見て（スヌーピング）、ＳＴＢ６がサーバ９と送受信するＥｔｈｅｒｎｅｔ（登録商標）フレームなどから、フレーム内のＩＰヘッダに格納されている送信元ＩＰアドレスまたは宛先ＩＰアドレスのうちＳＴＢ６のＩＰアドレスに該当するものを抽出し、通信信号処理部１２にＳＴＢ６のＩＰアドレス情報を伝送する。なお、図ではＳＴＢＩＰ抽出部１８を通信信号処理部１２と独立したものとしているが、通信信号処理部１２にＳＴＢＩＰ抽出部１８の機能を持たせても良い。
【００３５】
抽出するパケットは種別や内容に基づく。例えば、図６はＰａｙＰｅｒＶｉｅｗ方式でユーザＩＤや課金情報などの視聴情報を通信するＥｔｈｅｒｎｅｔ（登録商標）フレームの構成図の概略を示したものである。ＳＴＢＩＰ抽出部１８は通信しているフレームの送信元ＩＰアドレスと宛先ＩＰアドレスの部分をスヌーピングし、ＳＴＢ６がサーバ９と送受信しているデータであると判断し、送信元ＩＰアドレスまたは宛先ＩＰアドレスの内、ＳＴＢ６のＩＰアドレスに該当するものを抽出し、それを通信信号処理部１２に伝送する。他の構成は本発明の実施の形態１と同じである。
【００３６】
以上の構成によって、ＳＴＢ６がＩＰｖ６に対応しておらずＮＤＰを使用できない場合であっても、自動で通信信号処理部１２にＳＴＢ６のＩＰアドレス情報を取得させることができる。
【００３７】
実施の形態４．
実施の形態１および２では通信信号処理部１２がＩＰ機能部１７に対してｐｉｎｇ要求等を行っていたが、図７に示すように、ＳＴＢ状態判定部１３がＩＰ機能部１７とＬＡＮを介して接続されている場合にはＳＴＢ状態判定部１３が直接ＩＰ機能部１７にｐｉｎｇ要求等を行っても良い。
【００３８】
図８において、ＳＴＢの動作状態判定を行うフローについて説明する。ステップ４１において、ＳＴＢ状態判定部１３はＳＴＢ６のＩＰ機能１７に対してｐｉｎｇ要求、または、ｔｒａｃｅｒｏｕｔｅ要求を定期的に送信する。実施の形態１および２と同様に、ＳＴＢ状態判定部１３とＩＰ機能部１７との間にＬ３以上のルータが存在しなければ、定期的にａｒｐ要求を送信しても良い。また、前提として、ＳＴＢ６のＩＰアドレス情報をＳＴＢ状態判定部１３が取得していることは同じである。取得していなければ前述のＮＤＰを利用するか、または、ＳＴＢＩＰ抽出部１８をＬＡＮ経路に備えてスヌーピングによってＩＰアドレス情報を取得しても良い。
【００３９】
ステップ４２にて、ＳＴＢ状態判定部１３はｐｉｎｇ、ｔｒａｃｅｒｏｕｔｅ、ａｒｐ要求に対する反応がＩＰ機能部１７から返ってくるかどうかを判断する。
【００４０】
ｐｉｎｇ、ｔｒａｃｅｒｏｕｔｅ、ａｒｐ要求に対する応答がＩＰ機能部１７からあった場合には、ステップ４３に進み、電源部１４に対して映像信号処理部１１へ電源を供給するように指示する。
【００４１】
一方、ステップ４２にてＳＴＢ状態判定部１３がｐｉｎｇ、ｔｒａｃｅｒｏｕｔｅ、ａｒｐ要求を送信しても、ＩＰ機能部１７から応答がない場合には、ステップ４４に進む。ＳＴＢ状態判定部１３にはタイマが設定されており、ＳＴＢ６から１タイマ周期時間内に応答を得ることができず、タイムアウトした場合にはステップ４５に進み、ＳＴＢ状態判定部１３は電源部１４に対し映像信号処理部１１への電源供給を停止するように指示する。なお、実施の形態１および２と同様に電源供給の停止以外に、低消費電力状態、すなわち、待機状態とする電源制御も可能である。
【００４２】
以上の構成によれば、通信信号処理部１２に負荷をかけることなく、ＳＴＢの動作状態判定を行い、映像信号処理部１１の電源供給制御が可能となる。
【符号の説明】
【００４３】
１      映像配信装置
２      光加入者線局内装置（ＯＬＴ）
３      波長多重分離部
４      光スプリッタ
５      光加入者線終端装置
６      セットトップボックス（ＳＴＢ）
７      テレビジョン受像機（ＴＶ）
８      ネットワーク
９      サーバ
１０    光分波器
１１    映像信号処理部
１２    通信信号処理部
１３    ＳＴＢ状態判定部
１４    電源部
１５    映像信号入力端子
１６    映像信号出力端子
１７    ＩＰ機能部
１８    ＳＴＢＩＰ抽出部
【図１】
2011119840.tif 000003
【図２】
2011119840.tif 000004
【図３】
2011119840.tif 000005
【図４】
2011119840.tif 000006
【図５】
2011119840.tif 000007
【図６】
2011119840.tif 000008
【図７】
2011119840.tif 000009
【図８】
2011119840.tif 000010